(57)【要約】【課題】液晶表示手段の表示画面上の色むらや色ずれを低減させる。【解決手段】ＬＣＤ９の表示画面上に予め設定された基準領域及び調整対象領域のそれぞれにグレーベタ画像を表示する。同一視点から各領域の色を比較し、調整対象領域の画像の色合いを基準領域の画像の色合いと同一若しくは略同一になるように調整する。調整データに基づいて、表示補正データを作成する。ＬＣＤ９に画像を表示させる際には、表示補正データに基づいて画像を補正する。【選択図】図１
2005338148.tif 000002
【特許請求の範囲】
【請求項１】
入力画像データを表示画面上に表示する液晶表示手段を有し、
調整モード下において、前記液晶表示手段の表示画面上に予め設定された基準領域及び一又は複数の調整対象領域のそれぞれに同一内容の画像データを同時に表示させる表示制御手段と、前記調整対象領域上に表示された画像の色合いを前記基準領域上に表示された画像の色合いと同一若しくは略同一になるように調整するための調整操作入力手段と、前記調整操作入力手段から入力された調整データに基づいて前記液晶表示手段の表示補正データを作成する表示補正データ作成手段と、前記表示補正データを記憶する記憶手段と、を有し、
通常表示モード下において、前記記憶手段に記憶された表示補正データに基づいて前記液晶表示手段に対する表示制御を行う制御手段と、を有することを特徴とする画像表示装置。
【請求項２】
入力画像データを表示画面上に表示する液晶表示手段を有し、
調整モード下において、前記液晶表示手段の表示画面上に単一の色合いの画像データを表示させる表示制御手段と、前記液晶表示手段の表示画面上に予め設定された一又は複数の調整対象領域の色合いを前記液晶表示手段の表示画面上に予め設定された基準領域の色合いと同一若しくは略同一になるように調整するための調整操作入力手段と、前記調整操作入力手段から入力された調整データに基づいて前記液晶表示手段の表示補正データを作成する表示補正データ作成手段と、前記表示補正データを記憶する記憶手段と、を有し、
通常表示モード下において、前記記憶手段に記憶された表示補正データに基づいて前記液晶表示手段に対する表示制御を行う制御手段と、を有することを特徴とする画像表示装置。
【請求項３】
請求項２に記載の画像表示装置において、
前記単一の色合いの画像データはグレー色の画像データであることを特徴とする画像表示装置。
【請求項４】
請求項１〜３のいずれか一項に記載の画像表示装置において、
前記基準領域は前記液晶表示手段の表示画面上の略中央部位置に設定され、前記調整対象領域は前記液晶表示手段の表示画面上の端部位置に設定されていることを特徴とする画像表示装置。
【請求項５】
プリントすべき入力画像データを取得する画像取得手段と、
前記画像取得手段により取得された入力画像データを表示する請求項１〜４のいずれか一項に記載の画像表示装置と、
前記表示された入力画像データに対して色修正を行うための色修正操作入力手段と、
前記色修正された入力画像データをプリント出力するプリント出力手段と、
を備えたことを特徴とするプリントシステム。
【請求項６】
調整モード下において、液晶表示手段の表示画面上に予め設定された基準領域及び一又は複数の調整対象領域のそれぞれに同一内容の画像データを同時に表示させ、調整操作入力手段により前記調整対象領域上に表示された画像の色合いを前記基準領域上に表示された画像の色合いと同一若しくは略同一になるように調整し、前記調整操作入力手段から入力された調整データに基づいて前記液晶表示手段の表示補正データを作成し、前記作成された表示補正データを記憶手段に記憶し、
通常表示モード下において、前記記憶手段に記憶された表示補正データに基づいて前記液晶表示手段に対する表示制御を行うことを特徴とする画像表示方法。
【請求項７】
調整モード下において、液晶表示手段の表示画面上に単一の色合いの画像データを表示させ、調整操作入力手段により前記液晶表示手段の表示画面上に予め設定された一又は複数の調整対象領域の色合いを前記液晶表示手段の表示画面上に予め設定された基準領域の色合いと同一若しくは略同一になるように調整し、前記調整操作入力手段から入力された調整データに基づいて前記液晶表示手段の表示補正データを作成し、前記作成された表示補正データを記憶手段に記憶し、
通常表示モード下において、前記記憶手段に記憶された表示補正データに基づいて前記液晶表示手段に対する表示制御を行うことを特徴とする画像表示方法。
【請求項８】
請求項７に記載の画像表示方法において、
前記単一の色合いの画像データはグレー色の画像データであることを特徴とする画像表示方法。
【請求項９】
請求項６〜８のいずれか一項に記載の画像表示方法において、
前記基準領域は前記液晶表示手段の表示画面上の略中央部位置に設定され、前記調整対象領域は前記液晶表示手段の表示画面上の端部位置に設定されていることを特徴とする画像表示方法。
【発明の詳細な説明】
【技術分野】
【０００１】
本発明は、液晶表示手段を用いた画像表示装置、プリントシステム及び画像表示方法に関する。
【背景技術】
【０００２】
一般に、写真や印刷物のプリントを行う際に、プリント対象となる画像を表示装置に表示させ、オペレータが色修正等を行ってから出力する場合が多い。表示装置の表示画面において表示むらがある場合には、画像に適切な修正を行うことが困難であるため、表示装置の表示むらを補正する方法が提案されている（例えば、特許文献１、特許文献２参照。）。
【０００３】
特許文献１には、ＣＲＴ（Cathode Ray Tube）等の発光表示手段における部分毎の輝度を検出し、検出結果に基づいて、発光表示手段の部分毎の輝度が略同一となるように画像信号に対してシェーディング補正を行う画像表示方法が記載されている。また、特許文献２には、ディスプレイに表示された表示むら測定画像をディジタルカメラで撮像し、撮像された表示むら測定画像をプリンタにより出力し、出力された表示むら測定画像をスキャナにより読み込み、各測定ポイントにおける測光データと表示むら測定画像の画像データとを比較して補正を行う技術が記載されている。
【０００４】
また、近年、ＣＲＴの生産が縮小し、高性能なＣＲＴを入手することが困難な上、ディスプレイの設置スペースも小さい方が便利なため液晶ディスプレイ（ＬＣＤ：Liquid Crystal Display）が採用されている。ＴＮ（Twisted Nematic）方式のＬＣＤは、低価格であるため広く用いられているが、ＣＲＴとは異なり、視野角が狭く、見る角度によって色合いが異なってしまう。このように、視野角依存性が高いことによる色むらを低減させるために、ユーザの視線がＬＣＤの視野角の略中心となるように、ＬＣＤの角度を調整する技術が提案されている（例えば、特許文献３参照。）。
【特許文献１】特開平９−１９８０１９号公報
【特許文献２】特開平１１−１９４４３５号公報
【特許文献３】特開２０００−１９４２７１号公報
【発明の開示】
【発明が解決しようとする課題】
【０００５】
しかし、上記のようにＬＣＤ全体の角度を調整しても、ユーザに対する表示画面の角度が、表示画面の中央部と端部とでは異なるため、色むらや色ずれが生じるおそれがあった。例えば、画面の上と下が暗く感じられたり、部分的に黄色が強い部分や青みが強い部分等が生じ、色合いが不均一に感じられたりする場合があった。特に、安価な製品において、このような視野角依存性の影響が顕著に見られ、写真や印刷物をプリントする際に、画像を表示画面上に表示して色修正を行うことは非常に困難であった。
【０００６】
本発明は上記の従来技術における問題に鑑みてなされたものであって、液晶表示手段の表示画面上の色むらや色ずれを低減させることを課題とする。
【課題を解決するための手段】
【０００７】
請求項１に記載の発明は、画像表示装置において、入力画像データを表示画面上に表示する液晶表示手段を有し、調整モード下において、前記液晶表示手段の表示画面上に予め設定された基準領域及び一又は複数の調整対象領域のそれぞれに同一内容の画像データを同時に表示させる表示制御手段と、前記調整対象領域上に表示された画像の色合いを前記基準領域上に表示された画像の色合いと同一若しくは略同一になるように調整するための調整操作入力手段と、前記調整操作入力手段から入力された調整データに基づいて前記液晶表示手段の表示補正データを作成する表示補正データ作成手段と、前記表示補正データを記憶する記憶手段と、を有し、通常表示モード下において、前記記憶手段に記憶された表示補正データに基づいて前記液晶表示手段に対する表示制御を行う制御手段と、を有することを特徴とする。
【０００８】
請求項２に記載の発明は、画像表示装置において、入力画像データを表示画面上に表示する液晶表示手段を有し、調整モード下において、前記液晶表示手段の表示画面上に単一の色合いの画像データを表示させる表示制御手段と、前記液晶表示手段の表示画面上に予め設定された一又は複数の調整対象領域の色合いを前記液晶表示手段の表示画面上に予め設定された基準領域の色合いと同一若しくは略同一になるように調整するための調整操作入力手段と、前記調整操作入力手段から入力された調整データに基づいて前記液晶表示手段の表示補正データを作成する表示補正データ作成手段と、前記表示補正データを記憶する記憶手段と、を有し、通常表示モード下において、前記記憶手段に記憶された表示補正データに基づいて前記液晶表示手段に対する表示制御を行う制御手段と、を有することを特徴とする。
【０００９】
請求項３に記載の発明は、請求項２に記載の画像表示装置において、前記単一の色合いの画像データはグレー色の画像データであることを特徴とする。
【００１０】
請求項４に記載の発明は、請求項１〜３のいずれか一項に記載の画像表示装置において、前記基準領域は前記液晶表示手段の表示画面上の略中央部位置に設定され、前記調整対象領域は前記液晶表示手段の表示画面上の端部位置に設定されていることを特徴とする。
【００１１】
請求項５に記載の発明は、プリントシステムにおいて、プリントすべき入力画像データを取得する画像取得手段と、前記画像取得手段により取得された入力画像データを表示する請求項１〜４のいずれか一項に記載の画像表示装置と、前記表示された入力画像データに対して色修正を行うための色修正操作入力手段と、前記色修正された入力画像データをプリント出力するプリント出力手段と、を備えたことを特徴とする。
【００１２】
請求項６に記載の発明は、画像表示方法において、調整モード下において、液晶表示手段の表示画面上に予め設定された基準領域及び一又は複数の調整対象領域のそれぞれに同一内容の画像データを同時に表示させ、調整操作入力手段により前記調整対象領域上に表示された画像の色合いを前記基準領域上に表示された画像の色合いと同一若しくは略同一になるように調整し、前記調整操作入力手段から入力された調整データに基づいて前記液晶表示手段の表示補正データを作成し、前記作成された表示補正データを記憶手段に記憶し、通常表示モード下において、前記記憶手段に記憶された表示補正データに基づいて前記液晶表示手段に対する表示制御を行うことを特徴とする。
【００１３】
請求項７に記載の発明は、画像表示方法において、調整モード下において、液晶表示手段の表示画面上に単一の色合いの画像データを表示させ、調整操作入力手段により前記液晶表示手段の表示画面上に予め設定された一又は複数の調整対象領域の色合いを前記液晶表示手段の表示画面上に予め設定された基準領域の色合いと同一若しくは略同一になるように調整し、前記調整操作入力手段から入力された調整データに基づいて前記液晶表示手段の表示補正データを作成し、前記作成された表示補正データを記憶手段に記憶し、通常表示モード下において、前記記憶手段に記憶された表示補正データに基づいて前記液晶表示手段に対する表示制御を行うことを特徴とする。
【００１４】
請求項８に記載の発明は、請求項７に記載の画像表示方法において、前記単一の色合いの画像データはグレー色の画像データであることを特徴とする。
【００１５】
請求項９に記載の発明は、請求項６〜８のいずれか一項に記載の画像表示方法において、前記基準領域は前記液晶表示手段の表示画面上の略中央部位置に設定され、前記調整対象領域は前記液晶表示手段の表示画面上の端部位置に設定されていることを特徴とする。
【発明の効果】
【００１６】
請求項１、６に記載の発明によれば、調整モード下において、基準領域及び一又は複数の調整対象領域のそれぞれに同一内容の画像データを同時に表示させ、調整対象領域上に表示された画像の色合いを基準領域上に表示された画像の色合いと同一若しくは略同一になるように調整し、調整データに基づいて液晶表示手段の表示補正データを作成し、通常表示モード下において、表示補正データに基づいて液晶表示手段に対する表示制御を行うので、液晶表示手段の表示画面上における色むらや色ずれを低減させることができる。
【００１７】
請求項２、７に記載の発明によれば、調整モード下において、液晶表示手段の表示画面上に単一の色合いの画像データを表示させ、一又は複数の調整対象領域の色合いを基準領域の色合いと同一若しくは略同一になるように調整し、調整データに基づいて液晶表示手段の表示補正データを作成し、通常表示モード下において、表示補正データに基づいて液晶表示手段に対する表示制御を行うので、液晶表示手段の表示画面上における色むらや色ずれを低減させることができる。
【００１８】
請求項３、８に記載の発明によれば、液晶表示手段の表示画面上にグレー色の画像データを表示させ、調整対象領域の色合いを基準領域の色合いと同一若しくは略同一になるように調整することができる。
【００１９】
請求項４、９に記載の発明によれば、基準領域は表示画面上の略中央部位置に設定され、調整対象領域は表示画面上の端部位置に設定されているので、端部位置の色合いを略中央部位置の色合いに合わせるように調整することができる。
【００２０】
請求項５に記載の発明によれば、プリントすべき入力画像データを表示する画像表示装置の表示画面上における色むらや色ずれを低減させることができる。
【発明を実施するための最良の形態】
【００２１】
［第１の実施の形態］
まず、本発明の第１の実施の形態におけるプリントシステム１について図面を参照して説明する。
図１に、プリントシステム１の機能的構成を示す。図１に示すように、プリントシステム１は、ＣＰＵ（Central Processing Unit）２、ＲＯＭ（Read Only Memory）３、ＲＡＭ（Random Access Memory）４、操作部５、フィルムスキャナ６、カードリーダ７、ＨＤＤ（Hard Disk Drive）８、ＬＣＤ（Liquid Crystal Display）９、プリンタ１０を備えて構成されている。
【００２２】
プリントシステム１では、プリント出力すべき画像をＬＣＤ９の表示画面上で事前にチェックし、色修正等を行うため、ＬＣＤ９の表示画面上に表示された画像と同じ状態でプリンタ１０からプリントされるよう、予め調整されている。
【００２３】
ＣＰＵ２は、操作部５から入力される各種指示に従って、ＲＯＭ３に記憶されている各種プログラムの中から指定されたプログラムをＲＡＭ４のワークエリアに展開し、上記プログラムとの協働によって各種処理を実行し、その処理結果をＲＡＭ４の所定の領域に格納するとともに、必要に応じてＬＣＤ９に表示させる。
【００２４】
ＲＯＭ３は、不揮発性の半導体メモリで構成され、ＣＰＵ２により実行される各種プログラム等を記憶している。
【００２５】
ＲＡＭ４は、書き換え可能な半導体素子で構成される。ＲＡＭ４は、データが一時的に保存される記憶媒体であり、ＣＰＵ２が実行するためのプログラムを展開するためのプログラムエリア、操作部５から入力されるデータやＣＰＵ２による各種処理結果等を保存するためのデータエリア、等が形成される。
【００２６】
操作部５は、カーソルキー、テンキー、文字キー、各種機能に対応した機能キーを備えたキーボード、マウス等のポインティングデバイス等を備え、各キー又はマウス操作による操作信号をＣＰＵ２に出力する。
【００２７】
フィルムスキャナ６は、アナログカメラにより撮像された現像済みのネガフィルムやリバーサルフィルム等の透過原稿に記録された画像を読み込み、取得する。取得された画像データは、ＨＤＤ８に記憶される。
【００２８】
カードリーダ７は、メモリカード等の記録媒体に記録された画像データを読み込み、取得する。取得された画像データは、ＨＤＤ８に記憶される。
【００２９】
ＨＤＤ８は、データの読み書きが可能な記憶装置である。ＨＤＤ８には、フィルムスキャナ６又はカードリーダ７により取得された画像データや、表示補正データ等が記憶される。
【００３０】
ＬＣＤ９は、ＣＰＵ２の制御に従い、画像データに基づいて、電圧のＯＮ／ＯＦＦにより液晶分子の方向を変化させ、光を遮断・透過させることにより、画像を表示する。
【００３１】
プリンタ１０は、ＣＰＵ２の制御に従い、画像データに基づいて、感光材料に露光を行い、現像処理して画像プリントを作成する。
【００３２】
次に、動作について説明する。
図２は、プリントシステム１により実行される表示補正データ作成処理１を示すフローチャートである。表示補正データ作成処理１は、プリントシステム１のセットアップ時に調整モード下において行われる処理である。ここでは、ＬＣＤ９の表示画面上に６コマ画面が表示される場合について説明する。
【００３３】
図２に示すように、まず、ＬＣＤ９において６コマ表示画面のそれぞれに同一内容の画像データが同時に表示される（ステップＳ１）。図３（ａ）に、６コマ表示画面にそれぞれグレーベタ画像が表示された例を示す。ＬＣＤ９の各コマに表示される画像は、グレーベタ画像に限定されず、複数の濃度のグレー領域を有する画像等、任意の画像であってもよい。
【００３４】
図３（ａ）において、領域ａ１〜ａ６には同一内容の画像データが表示されるので、同一の色に見えることが理想的であるが、ＬＣＤ９の視野角依存性が高い場合には、各領域ａ１〜ａ６に表示される画像の色が異なって見えてしまう。ここでは、予め領域ａ２が基準領域に、領域ａ１，ａ３，ａ４，ａ５，ａ６が調整対象領域に設定されている。
【００３５】
次に、ユーザにより、同一視点から各コマの色が比較され、操作部５からの指示により、調整対象領域ａ１，ａ３，ａ４，ａ５，ａ６の画像の色合いを基準領域ａ２の画像の色合いと同一若しくは略同一になるように、各コマの色ずれ・色むらが調整される（ステップＳ２）。具体的には、イエロー（Yellow）、マゼンタ（Magenta）、シアン（Cyan）、濃度（Density）について、操作部５からの操作により１％ずつ増減させることにより色調整を行う。操作部５から入力された調整データに基づいて調整された後の表示画面を図３（ｂ）に示す。領域ｂ１〜ｂ６の画像の色合いが略同一となるよう調整されている。
【００３６】
次に、図３（ｂ）に示す登録ボタンｂ７が操作部５から選択されることにより、各コマの表示補正データが登録される（ステップＳ３）。各コマの表示補正データは、調整データに基づいて作成され、ＨＤＤ８に記憶される。表示補正データは、図３（ａ）に示した画像を図３（ｂ）に示すような画像に変換するための補正データであり、ルックアップテーブル等で表現されている。図３（ｃ）に、領域ｃ１〜ｃ６の表示補正データを示す。図３（ｃ）に示すように、コマ毎に均一の補正が行われる。
以上で、表示補正データ作成処理１が終了する。
【００３７】
通常表示モード下において、ＬＣＤ９の表示画面上に画像を表示させる際には、表示補正データに基づいて画像の補正が行われる。図３（ｄ）に示すように、各領域ｄ１〜ｄ６に同一内容の画像データを表示させる場合には、略同一の色合いの画像が表示されることになる。
【００３８】
次に、プリントシステム１により実行されるＬＣＤ画面表示・プリント処理１について説明する。ＬＣＤ画面表示・プリント処理１は、プリント対象となる画像データをＬＣＤ９の表示画面上に表示して色修正を行い、プリンタ１０によりプリント出力する処理である。
【００３９】
図４に示すように、フィルムスキャナ６又はカードリーダ７により画像データが取得される（ステップＳ１１）。そして、本画像とサムネイル画像とが生成される（ステップＳ１２）。本画像は、プリント出力に使用される画像である。サムネイル画像は、本画像の解像度を落とした画像であり、色修正を行う際にＬＣＤ９の各コマ画面に表示される画像である。
【００４０】
次に、サムネイル画像にＬＣＤ９のモニタ出力用の色補正が行われる（ステップＳ１３）。そして、表示されるコマ毎に、表示補正データ作成処理１（図２参照）において作成された表示補正データが反映され（ステップＳ１４）、補正後の画像がＬＣＤ９の表示画面上に表示される（ステップＳ１５）。
【００４１】
ＬＣＤ９の各コマ画面に表示された画像に対して、ユーザにより色修正が行われる場合には（ステップＳ１６；ＹＥＳ）、色修正後の画像がＬＣＤ９の表示画面上に表示される（ステップＳ１５）。この色修正は、画像のプリントに直接影響するものであって、コマ毎に、例えば、人の肌色をより好ましい肌色にする等の修正が行われる。
【００４２】
各コマに対して、ユーザによる色修正が終了した場合には（ステップＳ１６；ＮＯ）、本画像にユーザによる色修正結果が反映され（ステップＳ１７）、プリンタ１０に色修正後の画像データが転送される（ステップＳ１８）。そして、プリンタ１０により色修正後の画像がプリント出力される（ステップＳ１９）。
以上で、ＬＣＤ画面表示・プリント処理１が終了する。
【００４３】
第１の実施の形態のプリントシステム１によれば、調整モード下において、基準領域及び調整対象領域のそれぞれに同一内容の画像データを同時に表示させ、調整対象領域上に表示された画像の色合いを基準領域上に表示された画像の色合いと同一若しくは略同一になるように調整し、調整データに基づいてＬＣＤ９の表示補正データを作成し、通常表示モード下において、表示補正データに基づいてＬＣＤ９に対する表示制御を行うので、ＬＣＤ９の表示画面上における色むらや色ずれを低減させることができる。
【００４４】
なお、第１の実施の形態においては、基準領域がＬＣＤ９の表示画面上の上側中央部に設定されていることとしたが、基準領域の位置はこれに限定されない。ただし、基準領域が表示画面上の略中央部位置に、調整対象領域が表示画面上の端部位置に設定されていることが好ましい。また、第１の実施の形態においては、ＬＣＤ９の表示画面上に６コマ画面が表示されることとしたが、コマ数は任意に設定可能としてもよい。
【００４５】
［第２の実施の形態］
次に、本発明を適用した第２の実施の形態について説明する。
第２の実施の形態におけるプリントシステムは、第１の実施の形態に示したプリントシステム１と同様の構成であるため、同一の構成部分については同一の符号を付し、その構成については図示及び説明を省略する。第１の実施の形態では、画像データをＬＣＤ９に表示して色修正を行う際に、ＬＣＤ９の表示画面上に６コマ画面が表示されることとしたが、第２の実施の形態では、ＬＣＤ９の表示画面上に１つの画像が表示される場合について説明する。以下、第２の実施の形態に特徴的な処理について説明する。
【００４６】
図５は、第２の実施の形態のプリントシステムにより実行される表示補正データ作成処理２を示すフローチャートである。表示補正データ作成処理２は、プリントシステムのセットアップ時に調整モード下において行われる処理である。
【００４７】
図５に示すように、まず、ＬＣＤ９において表示画面上に単一の色合いの画像データが表示される（ステップＳ２１）。図６（ａ）に、ＬＣＤ９の表示画面上にグレーベタ画像が表示された例を示す。
【００４８】
図６（ａ）に示す画像は、画像全体の色合いが均一に見えることが理想的であるが、ＬＣＤ９の視野角依存性が高い場合には、各領域ｅ１〜ｅ５に表示される画像の色が異なって見えてしまう。ここでは、予め領域ｅ１（中央部）が基準領域に、領域ｅ２〜ｅ５（端部四隅）が調整対象領域に設定されている。
【００４９】
次に、ユーザにより、同一視点から各領域の画像の色が比較され、操作部５からの指示により、調整対象領域ｅ２〜ｅ５の色合いを基準領域ｅ１の色合いと同一若しくは略同一になるように、各領域の色ずれ・色むらが調整される（ステップＳ２２）。具体的には、イエロー、マゼンタ、シアン、濃度について、操作部５からの操作により１％ずつ増減させることにより色調整を行う。操作部５から入力された調整データに基づいて調整された後の表示画面を図６（ｂ）に示す。領域ｆ１〜ｆ５の画像の色合いが略同一となるよう調整されている。
【００５０】
次に、操作部５からの操作により、表示補正データが登録される（ステップＳ２３）。表示補正データは、調整データに基づいて、表示画面の中央部から端部に向かって段階的に補正されるように作成される。図６（ｃ）に、表示補正データを示す。図６（ｃ）に示す表示補正データは、表示画面の端部に近い部分ほど、より濃度を高くするような変換を行うための補正データである。表示補正データは、ＨＤＤ８に記憶される。
以上で、表示補正データ作成処理２が終了する。
【００５１】
通常表示モード下において、ＬＣＤ９の表示画面上に画像を表示させる際には、表示補正データに基づいて画像の補正が行われる。図６（ｄ）に示すように、単一の色合いの画像データを表示させる場合には、略均一の色合いの画像が表示されることになる。
【００５２】
次に、第２の実施の形態のプリントシステムにより実行されるＬＣＤ画面表示・プリント処理２について説明する。ＬＣＤ画面表示・プリント処理２は、プリント対象となる画像データをＬＣＤ９の表示画面上に表示して色修正を行い、プリンタ１０によりプリント出力する処理である。
【００５３】
図７に示すように、フィルムスキャナ６又はカードリーダ７により画像データが取得される（ステップＳ３１）。そして、本画像と表示用画像とが生成される（ステップＳ３２）。表示用画像は、本画像の解像度を落とした画像であり、色修正を行う際にＬＣＤ９に表示される画像である。
【００５４】
次に、表示用画像にＬＣＤ９のモニタ出力用の色補正が行われる（ステップＳ３３）。そして、表示用画像に表示補正データ作成処理２（図５参照）において作成された表示補正データが反映され（ステップＳ３４）、補正後の画像がＬＣＤ９の表示画面上に表示される（ステップＳ３５）。
【００５５】
ＬＣＤ９に表示された画像に対して、ユーザにより色修正が行われる場合には（ステップＳ３６；ＹＥＳ）、色修正後の画像がＬＣＤ９の表示画面上に表示される（ステップＳ３５）。
【００５６】
ユーザによる色修正が終了した場合には（ステップＳ３６；ＮＯ）、本画像にユーザによる色修正結果が反映され（ステップＳ３７）、プリンタ１０に色修正後の画像データが転送される（ステップＳ３８）。そして、プリンタ１０により色修正後の画像がプリント出力される（ステップＳ３９）。
以上で、ＬＣＤ画面表示・プリント処理２が終了する。
【００５７】
第２の実施の形態のプリントシステムによれば、調整モード下において、ＬＣＤ９の表示画面上に単一の色合いの画像データを表示させ、調整対象領域の色合いを基準領域の色合いと同一若しくは略同一になるように調整し、調整データに基づいてＬＣＤ９の表示補正データを作成し、通常表示モード下において、表示補正データに基づいてＬＣＤ９に対する表示制御を行うので、ＬＣＤ９の表示画面上における色むらや色ずれを低減させることができる。
【００５８】
なお、上記各実施の形態における記述は、本発明に係る好適なプリントシステムの例であり、これに限定されるものではない。プリントシステムを構成する各部の細部構成及び細部動作に関しても本発明の趣旨を逸脱することのない範囲で適宜変更可能である。
【図面の簡単な説明】
【００５９】
【図１】第１の実施の形態におけるプリントシステム１の機能的構成を示すブロック図である。
【図２】プリントシステム１により実行される表示補正データ作成処理１を示すフローチャートである。
【図３】６コマ表示画面の表示補正データの作成方法を説明するための図である。
【図４】プリントシステム１により実行されるＬＣＤ画面表示・プリント処理１を示すフローチャートである。
【図５】第２の実施の形態のプリントシステムにより実行される表示補正データ作成処理２を示すフローチャートである。
【図６】１コマ表示画面の表示補正データの作成方法を説明するための図である。
【図７】第２の実施の形態のプリントシステムにより実行されるＬＣＤ画面表示・プリント処理２を示すフローチャートである。
【符号の説明】
【００６０】
１  プリントシステム
２  ＣＰＵ
３  ＲＯＭ
４  ＲＡＭ
５  操作部
６  フィルムスキャナ
７  カードリーダ
８  ＨＤＤ
９  ＬＣＤ
１０  プリンタ
【図１】
2005338148.tif 000003
【図２】
2005338148.tif 000004
【図３】
2005338148.tif 000005
【図４】
2005338148.tif 000006
【図５】
2005338148.tif 000007
【図７】
2005338148.tif 000008
【図６】
2005338148.tif 000009